(57)【要約】【課題】従来のファクシミリ機能装置よりも、より省電力化を図るとともに、ファクシミリ機能装置からホスト装置へＵＳＢインタフェースを介してスリープモード解除通知を通知する場合に、スリープモードのＵＳＢデバイスへ不要な電流が流れてＵＳＢデバイスが破壊されることを防止した画像処理装置およびその制御方法を提供する。【解決手段】ファクシミリ機能装置に対する着信に際して、ユニバーサルシリアルバスインタフェースのデータラインに設けられたスイッチにより当該ユニバーサルシリアルバスインタフェースのデータラインとファクシミリ機能装置との接続を遮断し、その後、当該ユニバーサルシリアルバスインタフェースのデータラインをプルアップすることによりホスト装置に対してスリープモード解除通知を行う。【選択図】  図１
2004289438.tif 000002
【特許請求の範囲】
【請求項１】
ホスト装置とファクシミリ機能装置とがユニバーサルシリアルバスインタフェースを介して接続された画像処理装置において、
前記ファクシミリ機能装置に対する着信に際して前記ユニバーサルシリアルバスインタフェースのデータラインをプルアップすることにより前記ホスト装置に対してスリープモード解除通知を行うスリープモード解除通知手段と、
前記ユニバーサルシリアルバスインタフェースのデータラインに設けられ、前記ユニバーサルシリアルバスインタフェースのデータラインのプルアップに先だって該ユニバーサルシリアルバスインタフェースのデータラインと前記ファクシミリ機能装置との接続を遮断するスイッチ手段とを具備することを特徴とする画像処理装置。
【請求項２】
ホスト装置とファクシミリ機能装置とがユニバーサルシリアルバスインタフェースを介して接続された画像処理装置において、
前記ファクシミリ機能装置に対する着信に際して前記ファクシミリ機能装置の所定の回路を起動する起動制御手段と、
前記起動制御手段による前記所定の回路の起動の後に前記ユニバーサルシリアルバスインタフェースのデータラインをプルアップすることにより前記ホスト装置に対してスリープモード解除通知を行うスリープモード解除通知手段とを具備することを特徴とする画像処理装置。
【請求項３】
前記所定の回路は、
前記ファクシミリ機能装置の全ての回路であることを特徴とする請求項２記載の画像処理装置。
【請求項４】
前記所定の回路は、
前記ファクシミリ機能装置がスリープモードの状態で電源が供給されている全ての回路であることを特徴とする請求項２記載の画像処理装置。
【請求項５】
前記所定の回路は、
前記ファクシミリ機能装置のユニバーサルシリアルバス制御回路であることを特徴とする請求項２記載の画像処理装置。
【請求項６】
ホスト装置とファクシミリ機能装置とがユニバーサルシリアルバスインタフェースを介して接続された画像処理装置の制御方法において、
前記ファクシミリ機能装置に対する着信に際して前記ユニバーサルシリアルバスインタフェースのデータラインに設けられたスイッチにより該ユニバーサルシリアルバスインタフェースのデータラインと前記ファクシミリ機能装置との接続を遮断し、
その後、該ユニバーサルシリアルバスインタフェースのデータラインをプルアップすることにより前記ホスト装置に対してスリープモード解除通知を行うことを特徴とする画像処理装置の制御方法。
【請求項７】
ホスト装置とファクシミリ機能装置とがユニバーサルシリアルバスインタフェースを介して接続された画像処理装置の制御方法において、
前記ファクシミリ機能装置に対する着信に際して前記ファクシミリ機能装置の所定の回路を起動し、
該所定の回路の起動の後に前記ユニバーサルシリアルバスインタフェースのデータラインをプルアップすることにより前記ホスト装置に対してスリープモード解除通知を行うことを特徴とする画像処理装置の制御方法。
【請求項８】
前記所定の回路は、
前記ファクシミリ機能装置の全ての回路である
ことを特徴とする請求項７記載の画像処理装置の制御方法。
【請求項９】
前記所定の回路は、
前記ファクシミリ機能装置がスリープモードの状態で電源が供給されている全ての回路であることを特徴とする請求項７記載の画像処理装置の制御方法。
【請求項１０】
前記所定の回路は、
前記ファクシミリ機能装置のユニバーサルシリアルバス制御回路であることを特徴とする請求項７記載の画像処理装置の制御方法。
【発明の詳細な説明】
【０００１】
【発明の属する技術分野】
本発明は、ホスト装置とファクシミリ機能装置とがユニバーサルシリアルバスインタフェースを介して接続された画像処理装置およびその制御方法に関し、特に、ファクシミリ機能装置に対する着信に際してユニバーサルシリアルバスインタフェースのデータラインを用いてホスト装置に対してスリープモード解除通知を行うようにした画像処理装置およびその制御方法に関する。
【０００２】
【従来の技術】
近年、１台のＯＡ（Ｏｆｆｉｃｅ  Ａｕｔｏｍａｔｉｏｎ）機器に複数の機能を具備した複合機が普及し、ＯＡ機器の省スペース化および省電力化が図られている。
【０００３】
例えば、１台のＯＡ機器にコピー、電話、ファクシミリ、プリンタおよびネットワーク機能等を搭載して複数の処理を行うことを可能にしたいわゆる複合機が知られている。
【０００４】
上記複合機においては、コピー、ファクシミリ、プリンタ、ネットワーク等の機能装置（デバイス装置）と、これら機能装置を中央管理する制御装置（ホスト装置）とから構成されており、上記ホスト装置と各デバイス装置とはインターフェース装置を介して接続される。
【０００５】
ところで、上記ホスト装置と各デバイス装置を接続するインタフェースとしては、最近、ユニバーサルシリアルバス（ＵＳＢ）インタフェースを使用する構成が提案されている。
【０００６】
さて、複合機は、１台で複数の機能装置を稼動させることができる反面、常時複数の機能装置を稼動させることにより電力消費量も大きくなる。
【０００７】
そこで、一般的にホスト装置および各機能装置から成る複合機は、例えば使用者が一定期間、複合機のコピー、電話、ファクシミリ、プリンタ等の機能装置を使用しない時には、各機能装置およびホスト装置に最小限の電源を提供することにより電力消費量を小さくするスリープモードへ自動的に移行するような省電力機能を備えている。
【０００８】
例えば、特許文献１に示されるように、コンピュータ本体のスリープモードにおいて、電話回線から入力されたファックス信号をコンピュータ本体に装着されたモデム装置が検知し、検知した信号を光信号へ変換し、この光信号を更に電気的な信号へ変換してコンピュータ本体へスリープモード解除通知を通知するようなモデム装置が提案されている。
【０００９】
しかし、この特許文献１に示されるモデム装置は、コンピュータ本体とモデム装置との間をＵＳＢインタフェースを介して接続するものではない。
【００１０】
【特許文献１】
特開平０８−１３９８２６号公報
【発明が解決しようとする課題】
ところで、ホスト装置とファクシミリ機能装置とをユニバーサルシリアルバスインタフェースを介して接続する構成において、ファクシミリ機能装置に対する着信に際して、ユニバーサルシリアルバスインタフェースのデータラインをプルアップすることによりホスト装置に対してスリープモード解除通知を行う構成が考えられているが、この構成においては、スリープモード時においても、ファクシミリ機能装置のＵＳＢデバイスコントローラと、ＵＳＢデバイス部とを稼動させる必要がある。
【００１１】
また、スリープモード時において、ファクシミリ機能装置のＵＳＢデバイス部をスリープ状態（電源が提供されずに稼動していない状態）で高速データ用信号ライン（Ｄ＋）もしくは低速データ用信号ライン（Ｄ−）をプルアップすると、不要な電流がＵＳＢデバイス部へ流れ込みＵＳＢデバイス部に不具合が生じる場合がある。
【００１２】
そこで、この発明は、ファクシミリ機能装置からホスト装置へＵＳＢインタフェースを介してスリープモード解除通知を通知する場合に、スリープモードのＵＳＢデバイスへ不要な電流が流れてＵＳＢデバイスが破壊されることを防止した画像処理装置および制御方法を提供することを目的とする。
【００１３】
【課題を解決するための手段】
上記目的を達成するため請求項１の発明は、ホスト装置とファクシミリ機能装置とがユニバーサルシリアルバスインタフェースを介して接続された画像処理装置において、前記ファクシミリ機能装置に対する着信に際して前記ユニバーサルシリアルバスインタフェースのデータラインをプルアップすることにより前記ホスト装置に対してスリープモード解除通知を行うスリープモード解除通知手段と、前記ユニバーサルシリアルバスインタフェースのデータラインに設けられ、前記ユニバーサルシリアルバスインタフェースのデータラインのプルアップに先だって該ユニバーサルシリアルバスインタフェースのデータラインと前記ファクシミリ機能装置との接続を遮断するスイッチ手段とを具備することを特徴とする。
【００１４】
また、請求項２の発明は、ホスト装置とファクシミリ機能装置とがユニバーサルシリアルバスインタフェースを介して接続された画像処理装置において、前記ファクシミリ機能装置に対する着信に際して前記ファクシミリ機能装置の所定の回路を起動する起動制御手段と、前記起動制御手段による前記所定の回路の起動の後に前記ユニバーサルシリアルバスインタフェースのデータラインをプルアップすることにより前記ホスト装置に対してスリープモード解除通知を行うスリープモード解除通知手段とを具備することを特徴とする。
【００１５】
また、請求項３の発明は、請求項２の発明において、前記所定の回路が前記ファクシミリ機能装置の全ての回路であることを特徴とする。
【００１６】
また、請求項４の発明は、請求項２の発明において、前記所定の回路が前記ファクシミリ機能装置がスリープモードの状態で電源が供給されている全ての回路であることを特徴とする。
【００１７】
また、請求項５の発明は、請求項２の発明において、前記所定の回路が前記ファクシミリ機能装置のユニバーサルシリアルバス制御回路であることを特徴とする。
【００１８】
また、請求項６の発明は、ホスト装置とファクシミリ機能装置とがユニバーサルシリアルバスインタフェースを介して接続された画像処理装置の制御方法において、前記ファクシミリ機能装置に対する着信に際して前記ユニバーサルシリアルバスインタフェースのデータラインに設けられたスイッチにより該ユニバーサルシリアルバスインタフェースのデータラインと前記ファクシミリ機能装置との接続を遮断し、その後、該ユニバーサルシリアルバスインタフェースのデータラインをプルアップすることにより前記ホスト装置に対してスリープモード解除通知を行うことを特徴とする。
【００１９】
また、請求項７の発明は、ホスト装置とファクシミリ機能装置とがユニバーサルシリアルバスインタフェースを介して接続された画像処理装置の制御方法において、前記ファクシミリ機能装置に対する着信に際して前記ファクシミリ機能装置の所定の回路を起動し、該所定の回路の起動の後に前記ユニバーサルシリアルバスインタフェースのデータラインをプルアップすることにより前記ホスト装置に対してスリープモード解除通知を行うことを特徴とする。
【００２０】
また、請求項８の発明は、請求項７の発明において、前記所定の回路が前記ファクシミリ機能装置の全ての回路であることを特徴とする。
【００２１】
また、請求項９の発明は、請求項７の発明において、前記所定の回路が前記ファクシミリ機能装置がスリープモードの状態で電源が供給されている全ての回路であることを特徴とする。
【００２２】
また、請求項１０の発明は、請求項７の発明において、前記所定の回路が前記ファクシミリ機能装置のユニバーサルシリアルバス制御回路であることを特徴とする。
【００２３】
【発明の実施の形態】
以下、この発明の実施の形態について図面を参照して説明する。
【００２４】
図１は、本発明に係わる画像処理装置および制御方法の要部の構成を示すブロック図である。
【００２５】
尚、図１においては、ホスト装置にファクシミリ機能装置を接続した構成を想定した例を示してあるが、ファクシミリ機能装置以外であってもホスト装置とＵＳＢインタフェースを介して接続され、省電力復帰機能を有する機能装置であればどれでもよい。
【００２６】
図１において、ファクシミリ機能装置１００は、画像読み取り機能、プリンター機能を除くファクシミリ通信、画像メモリー管理、ユーザ登録等のファクシミリ動作の諸機能を実行する。
【００２７】
これらのファクシミリ動作の諸機能を実行するために、ファクシミリ機能装置１００は、図示せぬ制御プログラム等を記憶するＲＯＭ、宛先ダイヤルや通信記録等を記憶するＲＡＭ（不揮発生ＲＡＭを含む）、通信回線とのインタフェースをとるＮＣＵ、データの変復調を行うモデム等および省電力を図るための省電力電源（電圧３．３Ｖ）の装置が具備されている。
【００２８】
また、ファクシミリ機能装置１００は、使用者が一定期間、ファクシミリ機能を使用しない時は、ファクシミリ機能装置１００に最小限の電源（省電力電源）を提供して電力消費量を小さくするスリープモードへ自動的に移行する省電力機能を具備している。
【００２９】
スリープモードの時において、ファクシミリ機能装置１００が外部からファクシミリ通信等の着信信号を検知すると、ファクシミリ装置１００は自動的にスリープモードからリジュームモードへ移行すると同時に、ホスト装置１５０に対してスリープモード解除通知をＵＳＢインタフェースを介して通知するような機能を備えている。
【００３０】
また、ファクシミリ機能装置１００は、電話回線から受信した画情報をＵＳＢインタフェースを介してホスト装置１５０へ送信するとともに、ホスト装置１５０からＵＳＢインタフェースを介して受信した発信宛先情報や画情報を電話回線に接続して、発信宛先へ画情報を送信する。
【００３１】
ファクシミリ機能装置１００が電話回線を介して受信した画情報は、ＵＳＢインタフェースを介してホスト装置１５０へ送信され、ホスト装置１５０に接続された図示せぬプリンター機能装置によって印刷出力される。
【００３２】
ホスト装置１５０に接続された図示せぬ画像読取機能装置によって読み取った画情報は、ホスト装置１５０からファクシミリ機能装置１００へＵＳＢインタフェースを介して送信される。
【００３３】
この発明に係わるファクシミリ機能装置１００の要部の構成は、図１に示すように、ＵＳＢデバイス部１０１と、ＵＳＢデバイス部１０１を制御するＵＳＢデバイスコントローラ１０２と、ファクシミリ機能装置１００全体を制御するデバイス主ＣＰＵ（＝Ｃｅｎｔｒａｌ  Ｐｒｏｃｅｓｓｉｎｇ  Ｕｎｉｔ）１０３と、ファクシミリ機能装置１００の省電力電源１０４と、ＵＳＢインターフェースのデータ用信号ライン（Ｄ＋）をプルアップ抵抗側１１０とノーコネクト側１１１の何れかに接続するスイッチＳＷ１０５と、ＵＳＢインターフェースのデータ用信号ライン（Ｄ＋）をＵＳＢデバイス部１０１と接続するコネクト側１１２とノーコネクト側１１３の何れかに切り替えるスイッチＳＷ１０６とを具備している。
【００３４】
これらのスイッチＳＷ１０５、ＳＷ１０６の切り替え制御は、デバイス主ＣＰＵ１０３によって行われる。
【００３５】
なお、これらのスイッチＳＷ１０５、ＳＷ１０６は、リレー方式、トランジスターやＦＥＴ回路方式等、種々の方法が可能であるが特に方法は問わない。
【００３６】
また、図１に示すスイッチＳＷ１０５、ＳＷ１０６は、データ転送速度が高速の場合を想定した例としてデータ用信号ライン（Ｄ＋）のそれぞれの切り替えを行うように示してあるが、データ転送速度が低速の場合には、スイッチＳＷ１０５、ＳＷ１０６がデータ用信号ライン（Ｄ−）のそれぞれの切り替えを行なうように構成されている。
【００３７】
ホスト装置１５０は、ホスト側のＵＳＢホスト部１５１と、ＵＳＢホスト部１５１を制御する図示せぬＵＳＢホストコントローラと、ホスト装置１５０全体を制御する図示せぬホストＣＰＵ（＝Ｃｅｎｔｒａｌ  Ｐｒｏｃｅｓｓｉｎｇ  Ｕｎｉｔ）と、ＵＳＢインタフェースを介して接続されたファクシミリ機能装置１００へ電源を提供するための電源（５Ｖ）とを有している。
【００３８】
図２は、スリープモード時において、図１に示したファクシミリ機能装置からホスト装置に対してスリープモード解除通知を通知する場合の制御フロー図である。
【００３９】
図２を参照しながら図１に示したファクシミリ機能装置がホスト装置に対してスリープモード解除通知を通知する制御方法について説明する。
【００４０】
ファクシミリ機能装置１００は、スリープモードの時には、ファクシミリ機能装置１００の省電力電源１０４の提供によって稼動できる必要最小限のファクシミリ機能を稼動させて電力消費量を小さくしている。
【００４１】
図１に示したこの発明に係わる要部の構成においては、例えば、ファクシミリ機能装置１００のデバイス主ＣＰＵ１０３は、スリープモード時でも常時、省電力電源１０４から電源が提供されて稼動しており、外部からの着信信号に応じて必要な処理が行えるように構成されている。
【００４２】
スリープモード時において（ステップ２００）、ファクシミリ機能装置１００が電話回線を介して画情報の着信信号やフックオフ信号を検知すると（ステップ２０１でＹＥＳ）、この着信信号を検知したという信号（以下、「着信検知信号」という。）がデバイス主ＣＰＵ１０３へ入力される。
【００４３】
着信検知信号がデバイス主ＣＰＵ１０３へ入力されると、デバイス主ＣＰＵ１０３が着信検知信号の検知結果に基づいてデータ用信号ライン（Ｄ＋）のスイッチＳＷ１０６をＵＳＢデバイス部１０１と接続するコネクト側１１２からノーコネクト側１１３へ切り替える（ステップ２０２）。
【００４４】
スリープモード時においては、スイッチＳＷ１０６は、コネクト側１１２へ接続されている。
【００４５】
データ用信号ライン（Ｄ＋）のＳＷ１０６がノーコネクト側１１３へ切り替わると、デバイス主ＣＰＵ１０３は、データ用信号ライン（Ｄ＋）のスイッチＳＷ１０５をノーコネクト側１１１からプルアップ抵抗側１１０へ切り替える（ステップ２０３）。
【００４６】
スリープモード時においては、スイッチＳＷ１０５は、コネクト側１１２へ接続されている。
【００４７】
スイッチＳＷ１０５がプルアップ抵抗側１１０へ切り替えられると、データ用信号ライン（Ｄ＋）へ省電力電源１０４が提供されてデータ用信号ライン（Ｄ＋）プルアップされる。
【００４８】
ホスト装置１５０は、データ用信号ライン（Ｄ＋）がプルアップされると、ＵＳＢホスト部１５１を介してプルアップ信号を検知し（ステップ２０４）、スリープモード解除信号を生成して電源復帰動作を開始する（ステップ２０５）。
【００４９】
ホスト装置１５０が電源復帰動作を開始するとリープモードが解除されて電源が起動し、通常動作モードへ移行する（ステップ２０６、ステップ２０７）。
【００５０】
なお、ホスト装置１５０のＵＳＢホスト部１５１は、スリープモード時でも常時通電されており、データ用信号ライン（Ｄ＋）を監視している。
【００５１】
上述の如く、図１および図２に示したような構成と制御を行うことにより、スリープモード時の消費電力をより少なくすることが可能となり、ホスト装置に対してスリープモード解除通知を通知する際に、スリープモードのＵＳＢデバイス部へ不要な電流が流れてＵＳＢデバイス部１０１およびＵＳＢデバイスコントローラ１０２が破壊されることを防止することができる。
【００５２】
以上の説明は、データ転送速度が高速である場合のファクシミリ機能装置１００の制御例を示したものであるが、データ転送速度が低速の場合は、データ用信号ライン（Ｄ＋）をデータ用信号ライン（Ｄ−）へ置き換えた他は、高速データ転送速度の場合の制御方法と同様であるので説明は省略する。
【００５３】
図３は、ファクシミリ機能装置のスリープモード時において、ファクシミリ機能装置からホスト装置に対してスリープモード解除通知を通知する場合の他の実施の形態の要部の構成を示すブロック図である。
【００５４】
図３に示すようなファクシミリ機能装置は、図１に示したファクシミリ機能装置に副ＣＰＵ（＝Ｃｅｎｔｒａｌ  Ｐｒｏｃｃｅｓｓｉｎｇ  Ｕｎｉｔ）を追加し、この副ＣＰＵによって図１に示したスイッチＳＷ１０５およびＳＷ１０６の切り替え制御を行なうように構成したものである。
【００５５】
なお、図３においては、図１に示したファクシミリ機能装置と同様の機能を果たす部分には、説明の便宜上、図１で用いた符号と同一の符号を付する。
【００５６】
図３に示すように、ファクシミリ機能装置３００の要部の構成は、ＵＳＢインターフェースであるＵＳＢデバイス部１０１と、ＵＳＢデバイス部１０１を制御するＵＳＢデバイスコントローラ１０２と、ファクシミリ機能装置１００全体を制御するデバイス主ＣＰＵ１０３と、ファクシミリ機能装置１００の省電力電源１０４と、ＵＳＢインターフェースのデータ用信号ライン（Ｄ＋）をプルアップ抵抗側１１０とノーコネクト側１１１の何れかに接続するスイッチＳＷ１０５と、ＵＳＢインターフェースのデータ用信号ライン（Ｄ＋）をＵＳＢデバイス部１０１と接続するコネクト側１１２とノーコネクト側１１３の何れかに接続するスイッチＳＷ１０６と、スイッチＳＷ１０５、ＳＷ１０６の切り替えを制御する副ＣＰＵ３０１とを具備している。
【００５７】
なお、図３に示すようなファクシミリ機能装置においては、着信検知信号が着信期間中一定のレベルの電圧を保持する信号の場合は、副ＣＰＵ３０１をリレードライバーと遅延回路とを組み合わせた回路に置き換えて、スイッチＳＷ１０５およびＳＷ１０６それぞれの切り替え制御を行うようにしてもよい。
【００５８】
ホスト装置１５０は、ホスト側のＵＳＢインタフェースであるＵＳＢホストス部１５１と、ＵＳＢホスト部１５１を制御する図示せぬＵＳＢホストコントローラと、ホスト装置１５０全体を制御する図示せぬホストＣＰＵと、ＵＳＢインタフェースを介して接続されたファクシミリ機能装置１００へ電源を提供するための電源（５Ｖ）とを有している。
【００５９】
図４は、図３に示したファクシミリ機能装置がスリープモード時において、ファクシミリ機能装置からホスト装置に対してスリープモード解除通知を通知する場合の制御方法を示す制御フロー図である。
【００６０】
図４を参照しながら図３に示したファクシミリ機能装置がホスト装置に対してスリープモード解除通知を通知する制御方法について説明する。
【００６１】
図３に示すように、ファクシミリ機能装置３００の副ＣＰＵ３０１は、スリープモード時でも省電力電源１０４から電源が提供されて稼動している。
【００６２】
図４に示すように、スリープモード時において（ステップ４００）、ファクシミリ機能装置１００の副ＣＰＵ３０１へ電話回線を介して着信検知信号が入力されると（ステップ４０１でＹＥＳ）、副ＣＰＵ３０１が着信検知信号の検知結果に基づいてデータ用信号ライン（Ｄ＋）のＳＷ１０６をＵＳＢデバイス部１０１と接続するコネクト側１１２からノーコネクト側１１３へ切り替える（ステップ４０２）。
【００６３】
ＳＷ１０６は、スリープモード時にはコネクト側１１２へ接続されている。
【００６４】
データ用信号ライン（Ｄ＋）のＳＷ１０６がノーコネクト側１１３へ切り替わると、副ＣＰＵ３０１は、データ用信号ライン（Ｄ＋）のＳＷ１０５をノーコネクト側１１１からプルアップ抵抗側１１０へ切り替える（ステップ４０３）。
【００６５】
スリープモード時においては、ＳＷ１０５は、ノーコネクト側１１１へ接続されている。
【００６６】
スイッチＳＷ１０５がプルアップ抵抗側１１０へ切り替えられると、データ用信号ライン（Ｄ＋）へ省電力電源１０４が提供されてデータ用信号ライン（Ｄ＋）プルアップされる。
【００６７】
ホスト装置１５０は、データ用信号ライン（Ｄ＋）がプルアップされると、ＵＳＢホスト部１５１を介してプルアップ信号を検知し（ステップ４０４）、スリープモード解除信号を生成して電源復帰動作を開始する（ステップ４０５）。
【００６８】
ホスト装置１５０が電源復帰動作を開始するとリープモードが解除されて電源が起動し、通常動作モードへ移行する（ステップ４０６、ステップ４０７）。
【００６９】
なお、ホスト装置１５０のＵＳＢホスト部１５１は、スリープモード時でも常時通電されており、データ用信号ライン（Ｄ＋）を監視している。
【００７０】
上述の如く、図３および図４に示したような構成と制御を行うことにより、スリープモード時の消費電力をより少なくすることが可能となり、ホスト装置に対してスリープモード解除通知を通知する際に、スリープモードのＵＳＢデバイス部へ不要な電流が流れてＵＳＢデバイス部１０１およびＵＳＢデバイスコントローラ１０２が破壊されることを防止することができる。
【００７１】
図５は、ファクシミリ機能装置のスリープモード時において、ファクシミリ機能装置からホスト装置に対してスリープモード解除通知を通知する場合の他の実施の外の形態の要部の構成を示すブロック図である。
【００７２】
図５に示すようなファクシミリ機能装置は、図３に示したファクシミリ機能装置のデータ用信号ライン（Ｄ＋）もしくはデータ用信号ライン（Ｄ−）をプルアップする際の電源提供をＵＳＢデバイス部１０１から提供するように構成したものである。
【００７３】
なお、図５において、図３に示したファクシミリ機能装置と同様の機能を果たす部分には、説明の便宜上、図３で用いた符号と同一の符号を付する。
【００７４】
図５に示すように、ファクシミリ機能装置５００の要部の構成は、ＵＳＢインターフェースであるＵＳＢデバイス部１０１と、ＵＳＢデバイス部１０１を制御するＵＳＢデバイスコントローラ１０２と、ファクシミリ機能装置１００全体を制御するデバイス主ＣＰＵ１０３と、ファクシミリ機能装置１００の省電力電源１０４と、省電力電源１０７の電圧３．３Ｖを５．５Ｖまで昇圧するＤＣ／ＤＣコンバータ５０２と、その他の回路５０１と、スリープモード時においてＵＳＢデバイス部１０１へ省電力電源１０４を提供する側（電源提供側）５１０とノーコネクト側５１１との何れかに切り替えるスイッチＳＷ５０３と、ＵＳＢデバイスコントローラ１０２へ省電力電源１０４を提供する側（電源提供側）５１２とノーコネクト側５１３との何れかに切り替えるスイッチＳＷ５０４と、デバイス主ＣＰＵ１０３へ省電力電源１０４を提供する側（電源提供側）５１４とノーコネクト側５１５との何れかに切り替えるスイッチＳＷ５０５と、その他の回路５０１へＤＣ／ＤＣコンバータ５０２の電源を提供する側（電源提供側）５１６とノーコネクト側５１７との何れかに切り替えるスイッチＳＷ５０６と、これらのスイッチＳＷ５０３、ＳＷ５０４、ＳＷ５０５、ＳＷ５０６の切り替え制御を行なう副ＣＰＵ（＝Ｃｅｎｔｒａｌ  Ｐｒｏｃｃｅｓｓｉｎｇ  Ｕｎｉｔ）５０１とを具備している。
【００７５】
ホスト装置１５０は、ホスト側のＵＳＢインタフェースであるＵＳＢホストス部１５１と、ＵＳＢホスト部１５１を制御する図示せぬＵＳＢホストコントローラと、ホスト装置１５０全体を制御する図示せぬホストＣＰＵと、ＵＳＢインタフェースを介して接続されたファクシミリ機能装置１００へ電源を提供するための電源（５Ｖ）とを有している。
【００７６】
スリープモード時において、図５に示したファクシミリ機能装置がホスト装置に対してスリープモード解除通知を通知する場合の制御方法を次の三つの例を想定した実施形態に基づいて説明する。
【００７７】
第一例の実施形態の制御方法は、図５に示したファクシミリ機能装置が着信検知信号を検知すると、ファクシミリ機能装置全体を起動すると同時に、ホスト装置に対してスリープモード解除通知を通知する場合の制御方法である、
図６は、第一例の実施形態の制御方法を示すフロー図である。
【００７８】
第二例の実施形態の制御方法は、図５に示したファクシミリ機能装置が着信検知信号を検知すると、ファクシミリ機能装置の省電力電源が提供されることによって稼動可能な回路を起動すると同時に、ホスト装置に対してスリープモード解除通知を通知する場合の制御方法である。
【００７９】
図７は、第二例の実施形態の制御方法を示す制御フロー図である。
【００８０】
第三例の実施形態の制御方法は、図５に示したファクシミリ機能装置が着信検知信号を検知すると、ファクシミリ機能装置５００のＵＳＢデバイス部１０１とＵＳＢデバイスコントローラ１０２とを起動させると同時に、ホスト装置に対してスリープモード解除通知を通知する場合の制御方法である。
【００８１】
図８は、第三例の実施例の制御方法を示す制御フロー図である。
【００８２】
図６、図７、図８を参照しながら第一例の実施形態の制御方法、第二例の実施形態の制御方法、第三例の実施形態の制御方法について説明する。
【００８３】
第一例の実施形態の制御方法は、図６に示すように、図５に示したファクシミリ機能装置５００は、スリープモード時でも省電力電源１０４から副ＣＰＵ３０１へ通電されている。
【００８４】
スリープモード時において（ステップ６００）、ファクシミリ機能装置５００の副ＣＰＵ３０１へ電話回線を介して着信検知信号が入力されると（ステップ６０１でＹＥＳ）、副ＣＰＵ６０１が着信検知信号の検知結果に基づいてスイッチＳＷ５０３、ＳＷ５０４、ＳＷ５０５、ＳＷ５０６のそれぞれをノーコネクト側５１１、５１３、５１５から省電力電源１０４の電源提供側５１０、５１２、５１４へと切り替え、スイッチＳＷ５０６をノーコネクト側５１７からＤＣ／ＤＣコンバータ５０２の電源提供側５１６へと切り替える（ステップ６０２）。
【００８５】
スイッチＳＷ５０３、ＳＷ５０４、ＳＷ５０５、ＳＷ５０６がそれぞれ電源提供側へ切り替わりＵＳＢデバイス部１０１と、ＵＳＢデバイスコントローラ１０２と、ＣＰＵ１０３と、その他の回路５０１とに電源が提供されて起動する。
【００８６】
ＵＳＢデバイス部１０１が起動されるとＵＳＢデバイス部１０１からデータ用信号ライン（Ｄ＋）のプルアップ抵抗５２０へ電源が提供されてデータ用信号ライン（Ｄ＋）がプルアップする（ステップ６０３）。
【００８７】
ホスト装置１５０は、データ用信号ライン（Ｄ＋）の信号がプルアップされたことをＵＳＢホスト部１５１を介して検知し（ステップ６０４）、スリープモード解除信号を生成して電源復帰動作を開始する（ステップ６０５）。
【００８８】
ホスト装置１５０が電源復帰動作を開始すると、電源が起動されて通常動作モードへ移行する（ステップ６０６、ステップ６０７）。
【００８９】
第二例の実施形態の制御方法は、図７に示すように、スリープモード時において（ステップ７００）、ファクシミリ機能装置５００の副ＣＰＵ３０１へ電話回線を介して着信検知信号が入力されると（ステップ７０１でＹＥＳ）、副ＣＰＵ６０１が着信検知信号の検知結果に基づいてスイッチＳＷ５０３、ＳＷ５０４、ＳＷ５０５、ＳＷ５０６のそれぞれをノーコネクト側５１１、５１３、５１５から省電力電源１０４の電源提供側５１０、５１２、５１４へと切り替え（ステップ７０２）。
【００９０】
スイッチＳＷ５０３、ＳＷ５０４、ＳＷ５０５がそれぞれ電源提供側へ切り替わりＵＳＢデバイス部１０１と、ＵＳＢデバイスコントローラ１０２と、ＣＰＵ１０３とに電源が提供されて起動する。
【００９１】
ＵＳＢデバイス部１０１が起動されるとＵＳＢデバイス部１０１からデータ用信号ライン（Ｄ＋）のプルアップ抵抗５２０へ電源が提供されてデータ用信号ライン（Ｄ＋）がプルアップする（ステップ７０３）。
【００９２】
ホスト装置１５０は、データ用信号ライン（Ｄ＋）の信号がプルアップされたことをＵＳＢホスト部１５１を介して検知し（ステップ７０４）、スリープモード解除信号を生成して電源復帰動作を開始する（ステップ７０５）。
【００９３】
ホスト装置１５０が電源復帰動作を開始すると、電源が起動されて通常動作モードへ移行する（ステップ７０６、ステップ７０７）。
【００９４】
第三例の実施形態の制御方法は、図８に示すように、スリープモード時において（ステップ８００）、ファクシミリ機能装置５００の副ＣＰＵ３０１へ電話回線を介して着信検知信号が入力されると（ステップ８０１でＹＥＳ）、副ＣＰＵ６０１が着信検知信号の検知結果に基づいてスイッチＳＷ５０３、ＳＷ５０４のそれぞれをノーコネクト側５１１、５１３から省電力電源１０４の電源提供側５１０、５１２へと切り替え（ステップ８０２）。
【００９５】
スイッチＳＷ５０３、ＳＷ５０４がそれぞれ電源提供側へ切り替わりＵＳＢデバイス部１０１と、ＵＳＢデバイスコントローラ１０２とに電源が提供されて起動する。
【００９６】
ＵＳＢデバイス部１０１が起動されるとＵＳＢデバイス部１０１からデータ用信号ライン（Ｄ＋）のプルアップ抵抗５２０へ電源が提供されてデータ用信号ライン（Ｄ＋）がプルアップする（ステップ８０３）。
【００９７】
ホスト装置１５０は、データ用信号ライン（Ｄ＋）の信号がプルアップされたことをＵＳＢホスト部１５１を介して検知し（ステップ８０４）、スリープモード解除信号を生成して電源復帰動作を開始する（ステップ８０５）。
【００９８】
ホスト装置１５０が電源復帰動作を開始すると、電源が起動されて通常動作モードへ移行する（ステップ８０６、ステップ８０７）。
【００９９】
【発明の効果】
以上説明したように、この発明によれば、ファクシミリ機能装置に対する着信に際して、ユニバーサルシリアルバスインタフェースのデータラインに設けられたスイッチにより当該ユニバーサルシリアルバスインタフェースのデータラインとファクシミリ機能装置との接続を遮断し、その後、当該ユニバーサルシリアルバスインタフェースのデータラインをプルアップすることによりホスト装置に対してスリープモード解除通知を行うように構成したので、従来のファクシミリ機能装置よりも、より省電力化を図ることが可能となり、ファクシミリ機能装置からホスト装置に対するスリープモード解除通知を通知する場合に、スリープモードのＵＳＢデバイスへ不要な電流が流れてＵＳＢデバイスが破壊されることを防止することができるという効果を奏する。
【図面の簡単な説明】
【図１】この発明に係わる画像処理装置および制御方法の一実施の形態の要部を示すブロック図である。
【図２】図１に示したファクシミリ機能装置がスリープモード解除通知を通知する場合の制御フロー図である。
【図３】この発明に係わる画像処理装置および制御方法の他の実施の形態の要部を示すブロック図である。
【図４】図３に示したファクシミリ機能装置がスリープモード解除通知を通知する場合の制御フロー図である。
【図５】この発明に係わる画像処理装置および制御方法の他の外の実施の形態の要部を示すブロック図である。
【図６】図５に示したファクシミリ機能装置がスリープモード解除通知を通知する場合の第一例の制御フロー図である。
【図７】図５に示したファクシミリ機能装置がスリープモード解除通知を通知する場合の第二例の制御フロー図である。
【図８】図５に示したファクシミリ機能装置がスリープモード解除通知を通知する場合の第三例の制御フロー図である。
【符号の説明】
１００      ファクシミリ機能装置
１０１      ＵＳＢデバイス部
１０２      ＵＳＢデバイスコントローラ
１０３      デバイス主ＣＰＵ
１０４      省電力電源（ファクシミリ機能装置）
ＳＷ１０５  スイッチ機能
ＳＷ１０６  スイッチ機能
１３０      ユニバーサルシリアルバスインタフェース（ＵＳＢ）
１５０      ホスト装置
１５１      ＵＳＢホスト部
１５２      ＵＳＢ用電源
【図１】
2004289438.tif 000003
【図２】
2004289438.tif 000004
【図３】
2004289438.tif 000005
【図４】
2004289438.tif 000006
【図５】
2004289438.tif 000007
【図６】
2004289438.tif 000008
【図７】
2004289438.tif 000009
【図８】
2004289438.tif 000010